【事件の表示】
　特願２０１２−５３４０１３「Ｍｏコリメータおよびそれを用いたＸ線検出器、Ｘ線検査装置並びにＣＴ装置」拒絶査定不服審判事件〔平成２４年　３月２２日国際公開、ＷＯ２０１２／０３６１６０〕について、次のとおり審決する。
【結　論】
　本件審判の請求は、成り立たない。
【理　由】
第１ 手続の経緯
　この審判事件に関する出願（以下、「本願」という。）は、２０１１年（平成２３年）９月１３日（パリ条約による優先権主張２０１０年（平成２２年）９月１４日（以下、「優先日」という。）、日本国）を国際出願日とする出願であって、平成２７年２月１０日付け（発送：同年同月１７日）で拒絶理由を通知したところ、同年４月２０日付けで意見書が提出されるとともに、特許請求の範囲についての補正がなされ、同年５月１４日（送達：同年同月１９日）で拒絶査定がなされ、これに対し、同年８月１９日に拒絶査定不服審判が請求されると同時に特許請求の範囲についての補正がなされたものである。
　その後、当審より平成２８年６月１日付け（発送：同年同月７日）で拒絶理由（以下、「当審拒絶理由」という。）を通知したところ、同年８月８日付けで意見書が提出されるとともに、同日付けで特許請求の範囲についての補正がなされたものである。
　
第２　当審拒絶理由
　当審拒絶理由は、本願の特許請求の範囲に記載の請求項１ないし１０に係る発明は、本願の優先日前に頒布された下記の刊行物に記載された発明に基づいて、その優先日前にその発明の属する技術の分野における通常の知識を有する者が容易に発明をすることができたものであるから、特許法第２９条第２項の規定により特許を受けることができない、というものである。
　米国特許出願公開第２００４／００５２３３２号明細書（以下、「引用例」という。） 
第３　本願発明
　本願の請求項１〜１２に係る発明は、平成２８年８月８日付け補正書によって補正された特許請求の範囲の請求項１〜１２に記載された事項により特定されるとおりのものと認められるところ、その請求項１に係る発明（以下、「本願発明」という。）は、次のとおりである。
「板厚０．０２ｍｍ以上０．３ｍｍ以下のＭｏ板を複数枚含む積層体構造を有し、Ｒ形状を有しているＭｏコリメータと、前記Ｍｏコリメータに隣接するシンチレータと、前記シンチレータに隣接する光電変換部とをこの順番で備えるＸ線検出器であって、前記Ｍｏ板には短辺または直径が０．４ｍｍ以上０．７ｍｍ以下の穴部が格子状に複数個設けられており、前記積層体構造の積層方向において隣接している前記穴部は、前記積層体構造の上面から下面まで互いに連通して貫通孔を形成しており、前記穴部間の距離は、０．０７ｍｍ以上０．２ｍｍ以下であることを特徴とするＸ線検出器。」
第４　引用例に記載の事項・引用発明
１　引用例に記載の事項
　当審拒絶理由で引用された、本願の優先日前に頒布された刊行物である引用例には、図面とともに次の記載がある。なお、下線は、当審で付与したものであり、引用した記載の後に当審で作成した日本語訳を付記する。  
ア
「[0021] FIG. 6 is a cross-sectional side view of x-ray detector crystals and an 
x-ray collimator on the x-ray detector crystals, the x-ray collimator having been made by stacking a plurality of collimator sheets on top of one another, 
「[0021] 図６は
Ｘ線検出器結晶とＸ線検出器結晶の上に設けられたＸ線コリメータ
Ｘ線コリメータは、複数のコリメータシートを重ねて積層することによって作製されたものであり、
イ  
「[0026] 
The collimator sheet 20 is made of molybdenum
「[0026] 
コリメータシート２０はモリブデンからなる
ウ  
「[0027] FIG. 6 illustrates an x-ray collimator 40 that is made by stacking a plurality of collimator sheets 20A-D on top of one another. Each one of the sheets 20A to 20D is manufactured according to the method illustrated in FIGS. 1, 2, and 5. 
Adjacent septa lands 30 of adjacent ones of the collimator sheets 20A-D jointly form a respective septa piece 42. The septa openings 28 that are located over one another jointly form respective x-ray passages 44.
X-rays from an x-ray source
can be collimated by the septa pieces 42 toward individual x-ray crystals 54 below respective ones of the x-ray passages 44
「[0027] 図6はコリメータシート20A-Dの複数を積層して成形するＸ線コリメータ40を示している。シート20-20Dの各々は、図1、図2及び図5に示す方法によって製造される。
隣接するコリメータシート20A-Dの隣接する隔壁部30は、隔壁片42が互いに結合するように形成されている。互いに重畳するように配置される隔壁開口部28は、各Ｘ線通路44を形成している。
Ｘ線源からのＸ線は、Ｘ線通路44のそれぞれの下にある個々のＸ線結晶54に向かうように、隔壁片42によりコリメートされる
エ  
「[0030] In use, a closed container is transferred on a conveyor belt through the gantry opening 70. X-rays are emitted by the x-ray source 64 and transmit through the container toward the x-ray collimator s 40. The x-rays are detected by the x-ray detector crystals of the blocks 66. The gantry 62 may be rotatably mounted to a support frame. Rotation of the gantry 62 will result in CT-type scanning by radiating through the container from different sides. 」 
「[0030] 使用時には、密閉コンテナは、ガントリ開口部70を介して、搬送ベルトにより移送される。Ｘ線は、Ｘ線源64によって放出され、Ｘ線コリメータ40に向けてコンテナを透過する。Ｘ線はブロック66のＸ線検出器結晶により検出される。ガントリ62は、支持フレームに回転可能に取り付けられることができる。ガントリ62の回転は、それぞれ異なる側からコンテナを通して照射することによりＣＴ型走査をもたらすであろう。」 
オ  
「
　　　　　　　　　　　　　　　　　　　　　　　　　　　　　　　　」
　ＦＩＧ５には、
各コリメータシート２０に複数の隔壁開口部28が一列に配置され
ガントリ62内に複数のＸ線コリメータ40並べられ、擬似的にＲを形成しているＣＴ装置
  
２　引用発明 
　上記記載から、引用例には、次の発明（以下、「引用発明」という。）が記載されていると認められる。
　「Ｘ線検出器結晶とＸ線検出器結晶の上に設けられたＸ線コリメータを備え、 
　Ｘ線コリメータは、複数のコリメータシートを重ねて積層することによって作製されたものであり、
　コリメータシート２０はモリブデンからなり、
　隣接するコリメータシート20A-Dの隣接する隔壁部30は、隔壁片42が互いに結合するように形成され、
　互いに重畳するように配置される隔壁開口部28は、各Ｘ線通路44を形成し、
　Ｘ線源からのＸ線は、Ｘ線通路44のそれぞれの下にある個々のＸ線結晶54に向かうように、隔壁片42によりコリメートされ、
　各コリメータシート２０に複数の隔壁開口部28が一列に配置され、
　ガントリ62内に複数のＸ線コリメータ40が並べられ、擬似的にＲを形成しているＣＴ装置。」 
 
 第５　対比 
１　以下、本願発明と、引用発明とを対比する。 
（１）引用発明の「複数のコリメータシートを重ねて積層することによって作製されたものであり、コリメータシート２０はモリブデンからな」る「Ｘ線コリメータ」と、本願発明の「Ｍｏ板を複数枚含む積層体構造を有し、Ｒ形状を有しているＭｏコリメータ」とは、共に「Ｍｏ板を複数枚含む積層体構造を有し」「ているＭｏコリメータ」の点で共通する。
（２）引用発明の「Ｘ線検出器結晶」及び「ＣＴ装置」は、それぞれ本願発明の「シンチレータ」及び「Ｘ線検出器」に相当する。
（３）引用発明の「Ｘ線検出器結晶とＸ線検出器結晶の上に設けられたＸ線コリメータを備え」る「ＣＴ装置」において、「Ｘ線検出器結晶の上に設けられたＸ線コリメータ」は、Ｘ線検出器結晶とＸ線コリメータが隣接した関係であり、また、前記相当関係を踏まえると、引用発明の「ＣＴ装置」と、本願発明の「Ｍｏコリメータと、前記Ｍｏコリメータに隣接するシンチレータと、前記シンチレータに隣接する光電変換部とをこの順番で備えるＸ線検出器」とは、共に、「Ｍｏコリメータと、前記Ｍｏコリメータに隣接するシンチレータとをこの順番で備えるＸ線検出器」の点で共通する。 
  
（４）引用発明の「隔壁開口部」は、本願発明の「穴部」に相当する。
　また、引用発明の「各コリメータシート２０に複数の隔壁開口部28が一列に配置され」ていることと、本願発明の「前記Ｍｏ板には短辺または直径が０．４ｍｍ以上０．７ｍｍ以下の穴部が格子状に複数個設けられ」ることとは、共に、「前記Ｍｏ板には穴部が複数個設けられ」る点で共通している。
（５）引用発明において「隣接するコリメータシート20A-Dの隣接する隔壁部30は、隔壁片42が互いに結合するように形成され、互いに重畳するように配置される隔壁開口部28は、各Ｘ線通路44を形成し」ていることから、引用発明の「各Ｘ線通路44」は、本願発明の「前記積層体構造の上面から下面まで互いに連通して貫通孔」に相当する。
 ２　以上のことから、本願発明と引用発明との一致点及び相違点は、次のとおりである。 
（１）　一致点 
　「Ｍｏ板を複数枚含む積層体構造を有しているＭｏコリメータと、前記Ｍｏコリメータに隣接するシンチレータとをこの順番で備えるＸ線検出器であって、前記Ｍｏ板には穴部が複数個設けられており、前記積層体構造の積層方向において隣接している前記穴部は、前記積層体構造の上面から下面まで互いに連通して貫通孔を形成しているＸ線検出器。」 
（２）　相違点１
　本願発明の「Ｍｏ板」は、「板厚０．０２ｍｍ以上０．３ｍｍ以下」であり、「 短辺または直径が０．４ｍｍ以上０．７ｍｍ以下の穴部」を有し、「前記穴部間の距離は、０．０７ｍｍ以上０．２ｍｍ以下である」のに対し、引用発明では、「コリメータシート２０」の厚さや、（穴部に相当する）「隔壁開口部２８」の大きさ、「隔壁開口部２８」間の距離について特定されていない点。 
  
（３）　相違点２
　本願発明の「Ｍｏコリメータ」は、「Ｒ形状を有している」のに対し、引用発明の「Ｘ線コリメータ」は、「ガントリ62内に複数」「並べられ、擬似的にＲを形成している」点。 
 
（４）　相違点３
　本願発明の「Ｘ線検出器」は、「前記シンチレータに隣接する光電変換部」を備えるのに対し、引用発明は、シンチレータに相当する「Ｘ線検出器結晶」に隣接する光電変換部を備えるとは特定していない点。
（５）　相違点４
　複数の穴部の配置が、本願発明は、「格子状」であるのに対し、引用発明は、一列である点。
第６　判断 
 １　相違点１について 
　引用発明において、コリメータシートの厚さや、隔壁開口部の大きさ、隔壁開口部間の距離について特定されていないが、発明を実施する際には、加工性やコリメータとしての性能等を考慮して厚さや開口（穴）の大きさ、開口間の距離を設定するものであり、相違点１に係る数値は、当業者が採用し得ないような数値でもないことから（例えば、当審拒絶理由で周知例として引用した特開２００５−９９０２７号公報段落【００３８】には、各板が０．２ｍｍの厚さで、孔の半径が０．２ｍｍ（直径が０．４ｍｍ）オーダの半径と、０．５ｍｍのオーダの軸間距離（０．１ｍｍオーダの孔間距離）が記載されている。）、相違点１に係る数値を採用することは、当業者が適宜なし得る設計的事項にすぎない。 
  
２　相違点２について 
　引用発明は、「ガントリ62内に複数のＸ線コリメータ40が並べられ、擬似的にＲを形成して」おり、「Ｘ線コリメータ」自体がＲを有してはいないが、一般にＲを有するコリメータは周知であって、積層して形成されるコリメータにおいても採用される構成である（例えば、当審拒絶理由で周知例として引用した特開２０００−２４９７６７号公報（特に、段落【００６２】〜【００６４】の図１３に関する記載）参照。）。 
　してみると、引用発明において、擬似的にＲを形成することに代えて、コリメータ自体がＲを有するようにし、相違点２に係る構成とすることは、当業者が容易になし得たことである。 
３　相違点３について
　引用発明は、「Ｘ線検出器結晶とＸ線検出器結晶の上に設けられたＸ線コリメータを備え」る「ＣＴ装置」であるから、「Ｘ線コリメータ」を透過したＸ線により「Ｘ線検出器結晶」で発生した光を検出する構成を有することは明らかであり、「Ｘ線検出器結晶」で発生した光を検出する構成として、「Ｘ線検出器結晶」に隣接して光電変換部を備えるようにすることは、当業者が容易に想到し得ることである。
４　相違点４について
　優先日前に、格子状に配列した検出器のＣＴ、いわゆるマルチスライスＣＴは周知技術であって、それに用いられる格子状に配列した開口を有するコリメータも例をあげるまでもなく周知技術である。
　そして、引用発明は、ＣＴ装置の発明であるから、引用発明をマルチスライスＣＴとし、隔壁開口部を格子状に配列したコリメータを採用し、「穴部が格子状に複数個設けられ」るようにすることは、当業者が容易に想到し得ることである。
５　そして、これらの相違点を総合的に勘案しても、本願発明の奏する作用効果は、引用発明及び周知技術の奏する作用効果から予測される範囲内のものにすぎず、格別顕著なものということはできない。 
  
６　したがって、本願発明は、引用発明、周知技術に基づいて、当業者が容易に発明をすることができたものである。 
 
第７　むすび
　以上のとおり、本願発明は、引用発明及び周知技術に基づいて当業者が容易に発明をすることができたものであるから、特許法第２９条第２項の規定により特許を受けることができない。
　したがって、本願の他の請求項に係る発明について審理するまでもなく、本願は拒絶すべきものである。
　よって、結論のとおり審決する。